(57)【要約】      （修正有）【課題】軽量で薄く、かつ身体防護性の高い身体防護チョッキを提供すること、及び所定の防御性能を保ち、装着性、運動性、作業性および着心地のよい身体防護チョッキを提供することに、更に予想される現場の状況に応じて、異なった種類のチョッキを選択使用すること無く、同一のチョッキ本体を着用し身体防護物のみを単に交換するのみですむ身体防護チョッキを提供する。【解決手段】布製のチョッキ本体の前見頃１０２及び後見頃にチャック付のポケット２００を設け、そのポケット内に装脱可能に打撃緩衝パッドを装填してなり、打撃緩衝パッドは、緩衝材で構成するか又は緩衝材とその表面に補強材を施して構成することを特徴とする身体防護チョッキ。【選択図】図１
0003178935.tif 000002
【実用新案登録請求の範囲】
【請求項１】
布製のチョッキ本体の前見頃及び後見頃にチャック付のポケットを設け、そのポケット内に装脱可能に打撃緩衝パッドを装填してなり、打撃緩衝パッドは、緩衝材又はその表面に補強材を施してなることを特徴とする身体防護チョッキ。
【考案の詳細な説明】
【技術分野】
【０００１】本考案は、身体防護チョッキに関するものであり、建築作業現場、解体作業現場などにおいて不慮の転落や、危険物との衝突などが発生しても作業者の生命に掛かる上半身を確実に防護してその被害を最小限に止める優れた身体防護チョッキを提供する。
【背景技術】
【０００２】従来から、身体防護チョッキとしては、金属製の鎧状、多層状パッドなどで全体を構成したチョッキや、強度の高いアラミド繊維等により編んだ布材を所定枚数重ねて構成したチョッキなどが提案されている。【０００３】しかしながら、上記従来の身体防護チョッキでは次の各種課題がある。
（Ａ）上記金属製チョッキでは、金属の強度が低くかつ比重が大きいために、所定の防御性能を得るために鉄板の厚さを大きくする必要が生じ、結果的にチョッキ全体の重量が重くなる。また、大型の金属板をチョッキ形に裁断して鎧状に接続する構成は、着心地が悪く且つ作業性が極めて悪い。【０００４】（Ｂ）アラミド繊維布を所定枚数重ねて構成した身体防護チョッキでは、衝撃能力の高い危険物に対抗するために重ねる枚数を増やすこと（例えば３０枚程度）が行われている。このようにアラミド繊維布を多数枚重ねる構成では、柔軟性のある布材を使用しても着心地が悪くなるとともに、水に濡れた場合に多量に水分を含んでしまい重くなる。また、この構成では体の熱が逃げにくくなるため、夏は蒸れて着にくい。【０００５】（Ｃ）さらに、アラミド繊維布を多数枚重ねる構成では、危険物が当たったときに危険物が体内に入ることは防止できるものの、アラミド繊維布に直接に危険物が衝突するため打撃のときに身体が受ける衝撃が大きく、打撃時に装着者の身体的、心理的ショックが大きくなってしまう。
【考案の概要】
【考案が解決しようとする課題】
【０００６】本考案は上記課題を解決する、身体防護チョッキを提供することにある。
具体的な主目的は、軽量で薄く、かつ身体防護性の高い身体防護チョッキを提供すること、及び所定の防御性能を保ち、装着性、運動性、作業性および着心地のよい身体防護チョッキを提供することに、更に予想される現場の状況に応じて、異なった種類のチョッキを選択使用すること無く、同一のチョッキ本体を着用し身体防護物のみを単に交換するのみですむ身体防護チョッキを提供することにある。
【課題を解決するための手段】
【０００７】布製のチョッキ本体の前見頃及び後見頃にチャック付のポケットを設け、そのポケット内に装脱可能に打撃緩衝パッドを装填してなり、打撃緩衝パッドは、緩衝材又はその表面に補強材を施してなることを特徴とする身体防護チョッキ。
【考案の効果】
【０００８】本考案の身体防護チョッキは、チョッキ本体において、上半身の前後の重要な部位に相当するところに設けた両ポケット部に、作業に適応した所要の緩衝機能と補強機能を有する打撃緩衝パッドを装填しておけば、前面から衝撃を受けた場合でも、背面から衝撃を受けた場合でも
そのポケットに装填してある打撃緩衝パッドの補強材と緩衝材により衝撃力が緩衝されて身体へのダメージが阻止され身体を守ることが可能となる。また打撃緩衝パッドは上半身の重要な部位に相当するところにのみ配置してあるので身体防護チョッキ全体の軽量化を有利に図ることができる。
更に、チョッキ本体における前見頃と後見頃にそれぞれ設けたチャック付のポケット部に打撃緩衝パッドを着脱可能に収容したものであるため、打撃緩衝パッドを必要に応じて、前見頃のポケット部のみに打撃緩衝パッドを装填して作業したり、打撃緩衝パッドを全て取り外してチョッキ本体のみで軽作業を行うことも容易に可能となる。
つまり、前後からの打撃に耐え得る身体防護チョッキとして用いることができるだけでなく、状況に応じてその仕様を自由に変更することが可能であり、その変更は現場における判断に基づいて適宜行うこともできるもので、より経済性が高く機動性に富んだ使用態様を採ることのできる身体防護チョッキである。
【図面の簡単な説明】
【０００９】
【図１】本考案の身体防護チョッキの実施例を示す正面図である。
【図２】身体防護チョッキの背面図である。
【図３】身体防護チョッキの各ポケットに装填する打撃緩衝パッドの２例を示す鳥瞰図である。
【考案を実施するための形態】
【００１０】本考案において、前記布製のチョッキ本体は、普通強度或いは高強度の植物繊維製布や化学繊維製布或いは不繊布などでよく、またこれらを複数枚重合させてキルティング処理をした厚布でも良い。
【００１１】又、打撃緩衝パッドの前記緩衝材は、スポンジ、真綿、多層綿布、可撓性樹脂などでよい。
【００１２】又、打撃緩衝パッドの前記補強材は、軽量の金属板、硬質ゴム等の可撓性シート材でよい。
【０００６】又、前見頃及び後見頃に設けるチャック付のポケットは、着用する作業の内容或いは作業者の体躯などに応じて、各単数或いは複数に分割したものでよい。
従って、打撃緩衝パッドの形状も装填する当該ポケットの形状に対応して装填しやすい形状にする。
そして考案を実施するための形態については次の実施例において具体的に紹介する。
【実施例】
【００１４】本例の身体防護チョッキ１００は、布製のチョッキ本体１０１と、その前見頃１０２及び後見頃１０３に設けたチャック２００付のポケット３０１〜３０９と、その各ポケット３０１〜３０９内に装脱可能に装填した打撃緩衝パッド４１０、４２０とからなる。
打撃緩衝パッド４１０、４２０は図３（１）（２）に鳥瞰図でしめす。【００１５】前記布製のチョッキ本体１０１は、普通強度の植物繊維製布で縫製したもので、前見頃１０２の中央部にファスナー１０４を施したものである。【００１６】前見頃１０２に設けたチャック２００付のポケット３０１〜３０４は、心臓部と左肺を覆う部位の第一ポケット３０１と右肺を覆う部位の第二ポケット３０２と左右腹部を覆う部位の第三ポケット３０３、第四ポケット３０４を設置してある。【００１７】後見頃に設けるチャック２００付のポケット３０５〜３０９は、背骨の周囲を覆う部位の第五ポケット３０５と、左右の両肺を覆う部位の第六ポケット３０６第七ポケット３０７と、左右の両腎臓を覆う部位の第八ポケット３０８，第九ポケット３０９を設置してある。【００１８】前見頃１０２のポケット３０１〜３０４に装填する前記緩衝材４１０は、図３の（１）に示し、多少圧縮した２０〜６０ｍｍ厚のスポンジ４１１の表面に補強材として、厚み１０〜２０ｍｍの硬質ゴム４１２を貼ったものである。軽作業用にスポンジのみのものを用意してある。【００１９】後見頃１０３のポケット３０５〜３０９に装填する前記緩衝材４２０は、図３の（２）に示し、多少圧縮した２０〜６０ｍｍ厚のスポンジ４２１の表面に補強材として、軽量の厚み３ｍｍのチタン合金板４２２を貼ったものである。軽作業用にスポンジのみのものを用意してある。
これら前記緩衝材４１０、４２０の形状は、図３に簡略して示すが、装填する当該ポケットの大きさと形状に対応して形成することは勿論である。
【産業上の利用可能性】
【００２０】本考案の身体防護チョッキは、前記の優れた効果によって、建築作業現場、建築物解体作業現場などにおいて不慮の転落や、危険物との衝突などが発生しても作業者の生命に掛かる上半身を確実に防護してその被害を最小限に止めることができるので、建築業、建築物解体業界での安全作業維持に大いに貢献すること多大なものがある。
【符号の説明】
【００２１】１００：身体防護チョッキ
１０１：布製のチョッキ本体
１０２：前見頃
１０３：後見頃
２００：チャック
３０１〜３０９：ポケット
４１０、４２０：打撃緩衝パッド
【図１】
0003178935.tif 000003
【図２】
0003178935.tif 000004
【図３】
0003178935.tif 000005
【手続補正書】
【提出日】平成24年7月23日(2012.7.23)
【手続補正１】
【補正対象書類名】実用新案登録請求の範囲
【補正対象項目名】全文
【補正方法】変更
【補正の内容】
【実用新案登録請求の範囲】
【請求項１】
布製のチョッキ本体の前見頃及び後見頃にチャック付のポケットを設け、そのポケット内に装脱可能に打撃緩衝パッドを装填してなり、打撃緩衝パッドは、緩衝材で構成するか又は緩衝材とその表面に補強材を施して構成することを特徴とする身体防護チョッキ。
【手続補正３】
【補正対象書類名】明細書
【補正対象項目名】０００７
【補正方法】変更
【補正の内容】
【０００７】布製のチョッキ本体の前見頃及び後見頃にチャック付のポケットを設け、そのポケット内に装脱可能に打撃緩衝パッドを装填してなり、打撃緩衝パッドは、緩衝材で構成するか又は緩衝材とその表面に補強材を施して構成することを特徴とする身体防護チョッキ。